(57)【特許請求の範囲】
【請求項１】
直径の異なる二種類のマイクロホンの感度を校正する音響校正器であって、前記二種類のマイクロホンの内で直径が小さい方のマイクロホンを挿入する第１挿入口を形成した音響校正器本体と、一端に前記第１挿入口に挿入する中空の挿入部を形成すると共に、他端に前記挿入部と連通する直径が大きい方のマイクロホンを挿入する第２挿入口を形成したアダプタを備え、前記音響校正器本体には前記第１挿入口に連通する校正空間部と、この校正空間部に所定周波数の所定音圧を供給する音圧発生手段を設けたことを特徴とする音響校正器。
【発明の詳細な説明】
【０００１】
【発明の属する技術分野】
本発明は、例えば騒音計等に用いられるコンデンサマイクロホンの感度を校正する音響校正器に関する。
【０００２】
【従来の技術】
コンデンサマイクロホンを使用する騒音計の精度を維持するためには、定期的にコンデンサマイクロホンについて音響校正を行なう必要があり、一般に音響校正器が用いられている。
しかし、騒音計に使用するコンデンサマイクロホンの直径には、１／８インチ、１／４インチ、１／２インチや１インチなどがあるため、音響校正器はコンデンサマイクロホンの直径の大きさに対応できなければならない。
そこで、異なる直径のコンデンサマイクロホンを音響校正するために、音響校正器に工夫が施されている。
【０００３】
例えば、直径１インチのコンデンサマイクロホンを音響校正する場合には、図４（ａ）に示すように、直径１インチ用の音響校正器１００を用意し、その挿入口１０１に直径１インチのコンデンサマイクロホンを挿入し、電気音響変換器１０２を駆動して挿入口１０１に連通する空間部１０３を所定の音圧にすることにより、音響校正を行っている。
【０００４】
また、同じ音響校正器１００を用いて直径が１インチ以下、例えば直径１／２インチのコンデンサマイクロホンを音響校正する場合には、図４（ｂ）に示すような１／２インチ用の挿入口１０４を備えたアダプタ１０５を、予め音響校正器１００の挿入口１０１に装着しておく。次いで、アダプタ１０５の挿入口１０４に直径１／２インチのコンデンサマイクロホンを挿入し、電気音響変換器１０２を駆動して空間部１０３を所定の音圧にすることにより、音響校正を行っている。
【０００５】
【発明が解決しようとする課題】
しかしながら、直径１インチ用の音響校正器１００にアダプタ１０５を装着して直径１／２インチのコンデンサマイクロホンを音響校正する場合、アダプタ１０５がケース１０６表面から浮く場合があり、正確に音響校正することができない可能性があるという問題があった。また、浮きを防止するために複雑な機構が必要となるという問題もあった。
【０００６】
本発明は、従来の技術が有するこのような問題点に鑑みてなされたものであり、その目的とするところは、大きな直径のマイクロホンよりも小さな直径のマイクロホンをより精度よく音響校正を行なうことができる音響校正器を提供しようとするものである。
【０００７】
【課題を解決するための手段】
上記課題を解決すべく請求項１に係る発明は、直径の異なる二種類のマイクロホンの感度を校正する音響校正器であって、前記二種類のマイクロホンの内で直径が小さい方のマイクロホンを挿入する第１挿入口を形成した音響校正器本体と、一端に前記第１挿入口に挿入する中空の挿入部を形成すると共に、他端に前記挿入部と連通する直径が大きい方のマイクロホンを挿入する第２挿入口を形成したアダプタを備え、前記音響校正器本体には前記第１挿入口に連通する校正空間部と、この校正空間部に所定周波数の所定音圧を供給する音圧発生手段を設けたものである。
【０００８】
【発明の実施の形態】
以下に本発明の実施の形態を添付図面に基づいて説明する。ここで、図１は本発明に係る音響校正器の斜視図、図２は音響校正器本体の断面図（ａ）とアダプタの断面図（ｂ）、図３は使用説明図である。
【０００９】
本発明に係る音響校正器は、図１に示すように、外形が直方体形状の音響校正器本体１と、外形が略円柱形状のアダプタ２からなる。なお、音響校正器本体１もアダプタ２も外形形状は、直方体形状や円柱形状など如何なる形状でも構わない。
【００１０】
音響校正器本体１は、図２（ａ）に示すように、ケース３と、ケース３に形成され直径１／２インチのコンデンサマイクロホンを挿入する第１挿入口４と、第１挿入口４に連通する校正空間部５と、校正空間部５に所定周波数の所定音圧を供給する電気音響変換器６を備えている。７はＯリングである。なお、電気音響変換器６を駆動させる増幅器や電池などはケース３内に収納されるが、図示を省略している。
【００１１】
アダプタ２は、図２（ｂ）に示すように、一端に形成された音響校正器本体１の第１挿入口４に挿入する中空の挿入部８と、他端に形成された挿入部８と連通する直径１インチのコンデンサマイクロホンを挿入する第２挿入口９を備えてなる。１０はＯリングである。
【００１２】
以上のように構成した本発明に係る音響校正器による音響校正について説明する。
直径１／２インチのコンデンサマイクロホンを用いた騒音計について、コンデンサマイクロホンを音響校正する場合には、音響校正器本体１を用意する。
【００１３】
次いで、図３に示すように、騒音計１１を直径１／２インチのコンデンサマイクロホン１２を上向きにした状態で、音響校正器本体１の第１挿入口４にコンデンサマイクロホン１２をストッパ４ａに当接するまで挿入する。
すると、Ｏリング７により第１挿入口４とコンデンサマイクロホン１２は密接状態になる。
【００１４】
そして、音響校正器本体１に設けたスイッチ１３をオフ状態からオン状態にして電気音響変換器６を駆動させ、第１挿入口４に連通する校正空間部５を所定周波数の所定音圧にすることにより、音響校正を行う。
【００１５】
また、直径１インチのコンデンサマイクロホンを用いた騒音計について、コンデンサマイクロホンを音響校正する場合には、音響校正器本体１とアダプタ２を用意する。
次いで、音響校正器本体１の第１挿入口４にアダプタ２の挿入部８をストッパ４ａに当接するまで挿入する。すると、Ｏリング７により第１挿入口４と挿入部８は密接状態になり、アダプタ２は音響校正器本体１に密接状態で装着される。
【００１６】
次いで、騒音計をコンデンサマイクロホンを上向きにした状態で、アダプタ２の第２挿入口９にコンデンサマイクロホンをストッパ９ａに当接するまで挿入する。すると、Ｏリング１０により第２挿入口９とコンデンサマイクロホンは密接状態になる。
【００１７】
そして、音響校正器本体１に設けたスイッチ１３をオフ状態からオン状態にして電気音響変換器６を駆動させ、第１挿入口４を介して第２挿入口９に連通する校正空間部５を所定周波数の所定音圧にすることにより、音響校正を行う。
【００１８】
このように、使用頻度が多い直径１／２インチのコンデンサマイクロホンを用いた騒音計のコンデンサマイクロホンについては、音響校正器本体１のみで音響校正を行い、余り使用頻度が多くない直径１インチのコンデンサマイクロホンを用いた騒音計のコンデンサマイクロホンについては、音響校正器本体１にアダプタ２を装着して音響校正を行うので、使用頻度が多い直径１／２インチのコンデンサマイクロホンの方が、より正確に音響校正が行なえる。
【００１９】
【発明の効果】
以上説明したように本発明によれば、二種類のマイクロホンの内で直径が小さい方のマイクロホンを挿入する音響校正器本体と、直径が大きい方のマイクロホンを挿入するアダプタとにより音響校正器を構成したので、直径が小さい方のマイクロホンの場合には、音響校正器本体のみで音響校正が可能であるから、より正確に音響校正が行なえる。
また、音響校正器本体が、直径が小さい方のマイクロホンを対象として構成されるので、アダプタを含めた音響校正器全体としても小型・軽量化が図れる。
【図面の簡単な説明】
【図１】本発明に係る音響校正器の斜視図
【図２】音響校正器本体の断面図（ａ）とアダプタの断面図（ｂ）
【図３】本発明に係る音響校正器の使用説明図
【図４】従来の音響校正器の断面図（ａ）とアダプタの断面図（ｂ）
【符号の説明】
１…音響校正器本体、２…アダプタ、３…ケース、４…第１挿入口、５…校正空間部、６…電気音響変換器、８…挿入部、９…第２挿入口、１１…騒音計、１２…コンデンサマイクロホン。
【図１】
0003602405.tif 000002
【図２】
0003602405.tif 000003
【図３】
0003602405.tif 000004
【図４】
0003602405.tif 000005